(57)【特許請求の範囲】
【請求項１】
表示パネルと、
前記表示パネルの前側に配置される前面板と、
前記表示パネルを含む表示ユニットと、
前記前面板の側面を覆うベゼルと、
前記表示ユニットの後側に配置されるカバーと、
を備え、
前記前面板の後側の面上に第１の被締結部が設けられ、
前記表示ユニットの後側の面上に第２の被締結部が設けられ、
前記ベゼルが、締結手段により前記第１の被締結部と前記ベゼルの後側から締結され、かつ、締結手段により前記第２の被締結部と前記ベゼルの後側から締結され、さらに、前記ベゼルが前記カバーと締結手段により前記ベゼルの後側から締結されることで、前記前面板と前記表示ユニットと前記カバーと前記ベゼルとが結合されることを特徴とする画像表示装置。
【請求項２】
前記ベゼルの材質は、樹脂であることを特徴とする請求項１に記載の画像表示装置。
【請求項３】
前記ベゼルの材質は、金属であることを特徴とする請求項１に記載の画像表示装置。
【請求項４】
前記ベゼルは、前記前面板の前側の面を覆わないことを特徴とする請求項１乃至３のいずれか一項に記載の画像表示装置。
【請求項５】
前記ベゼルは、前記前面板の後側の面の少なくとも一部と対向する対向面を有し、前記前面板の後側の面と前記ベゼルの前記対向面との間には、弾性体が配置されることを特徴とする請求項１乃至４のいずれか一項に記載の画像表示装置。
【請求項６】
前記ベゼルの前記対向面は、前記前面板の後側の面の少なくとも一部と略平行に対向していることを特徴とする請求項５に記載の画像表示装置。
【請求項７】
前記弾性体には、開口部が設けられており、前記開口部に前記第１の被締結部が挿入されることを特徴とする請求項５または６に記載の画像表示装置。
【請求項８】
前記第１の被締結部は、前記第１の被締結部の底面より大きい面積のベース部を、前記第１の被締結部の前側に有しており、
前記ベース部が前記前面板の後側の面に接着手段により接着されることで、前記第１の被締結部が前記前面板に固定されることを特徴とする請求項１乃至７のいずれか一項に記載の画像表示装置。
【請求項９】
前記ベース部が前記第１の被締結部の底面にカシメにより係止されることで、前記ベース部と前記第１の被締結部とが一体化されることを特徴とする請求項８に記載の画像表示装置。
【請求項１０】
前記ベース部と前記第１の被締結部とは、一体成型されることを特徴とする請求項８に記載の画像表示装置。
【請求項１１】
前記ベゼルは、前記第１の被締結部において前記締結手段を用いて前記カバーと締結することを特徴とする請求項１乃至１０のいずれか一項に記載の画像表示装置。
【請求項１２】
前記画像表示装置は回路基板をさらに備え、
前記回路基板は、締結手段により、前記表示ユニットの後側の面上に設けられる第３の被締結部と締結されることで、前記表示ユニットに結合されることを特徴とする請求項１乃至１１のいずれか一項に記載の画像表示装置。
【請求項１３】
前記締結手段は、ネジであることを特徴とする請求項１乃至１２のいずれか一項に記載の画像表示装置。
【発明の詳細な説明】
【技術分野】
【０００１】
本発明は、画像表示装置に関し、特に薄型の画像表示装置における前面板や前面フィルターおよびその周辺の筐体構造に関するものである。
【背景技術】
【０００２】
近年、映像を大画面で表示させるために、プラズマディスプレイ装置や液晶ディスプレイ装置などの表示装置が実用化され需要が高まっている。
【０００３】
プラズマディスプレイ装置においては、パネルの表示を行う前面側には色調補正やコントラスト向上、電磁波遮断機能などを備えた光学フィルターを前面板として設置している。前面板はこのような機能を付加するために、ガラス表面にフィルムを貼付したり、エッチングにより導電性を持たせたりしている。
【０００４】
この前面板とプラズマディスプレイパネル（以下、パネル）とは、数ｍｍの隙間を設け、パネル発生熱の遮蔽、外部衝撃によるパネルへの衝撃防止を行っている。
【０００５】
また、液晶ディスプレイにおいても、特に業務用ディスプレイを中心に外部衝撃によるパネルへの衝撃防止を図るために、液晶パネル前面に前面板を配置する製品も存在している。
【０００６】
この前面板は主に強化ガラスで作成されている場合が多いのに対し、筐体の他の主要部品は樹脂や金属から作成されているのが一般的である。
【０００７】
このため、リサイクルの観点から前面板は他の筐体部品から容易に分解できることが望ましい。
【０００８】
また、この前面板は前述のように光学フィルターの役割を持っているため、形状が平板である必要がある。
【０００９】
このようなことから、前面板の保持は前面板の外周を周囲の筐体部品により挟み込まれる構造が一般的である。
【００１０】
具体的には、表示装置の外装部品である、画像表示エリアの外周に位置するベゼル等により、前面板の外周に勘合する部分に溝を設けて、その溝に前面板を嵌め込むことにより、固定する構造が採られる。
【００１１】
これに対して、前面板を挟み込まずに、筐体部品へ直接取り付ける構造がある（例えば、特許文献１参照）。
【００１２】
図１２に、上記特許文献１における液晶表示装置の断面図を示す。
【００１３】
この図に示されるように、液晶パネル２０と表示画面２３の前方には前面板２２が配置されている。
【００１４】
そして、この前面板の固定構造として、つぎのような保護カバー２１が構成されている。この保護カバー２１は、方形の開口２１ｂを有しており、該開口２１ｂの周囲に前面板２２を支持する枠部２１ａが設けられている。
【００１５】
また、この枠部２１ａの周囲には液晶パネル２０の表示画面２３以外を覆う額縁部２１ｃが設けられ、これらが一体成型されている。
【００１６】
また、この枠部２１ａは、前面板２２の表示画面２３と対向する面の全端縁２２ａに接触して前面板２２を支持する平面部分を有している。
【００１７】
このように、図１２に示すような従来の前面板の固定構造は、保護カバー２１の開口２１ｂの周囲に形成されている枠部２１ａの平面部分に、前面板２２の表示画面に対向する面の全端縁２２ａを接触させて、この部分に両面テープ等を使用して接着している。
【００１８】
このような構造を採用している製品としては、デジタルカメラの背面側に位置するディスプレイを保護する部分、または携帯電話のディスプレイを保護する部分等、比較的小型の製品が多い。
【００１９】
この場合、ディスプレイ部を保護する前面板は本体筐体部品に両面テープで接着されている場合が多いが、この前面板はサイズが小さいため、両面テープの接着面積も大きくないので、比較的容易に分解、剥離が可能である。
【先行技術文献】
【特許文献】
【００２０】
【特許文献１】特開２００３−３０２６２０号公報
【発明の概要】
【発明が解決しようとする課題】
【００２１】
図１２のような構造において、大型の薄型テレビであるプラズマテレビや液晶テレビが上記の構造となった場合、大型の薄型テレビのサイズは５０インチや６０インチを越えるものが多い。
【００２２】
そのため、使用する前面板のサイズが大きくなるので、使用する両面テープのサイズも大きくなる。
【００２３】
従って、接着される相手部品もフレームやベゼルといった大型の部品となるため、貼付け時の作業は気泡やしわが入りやすく、また分解時の作業は強い力で剥離しなければならないこととなる。
【００２４】
そのため、前面板をベゼル等の筐体部品から容易に分解することができないという課題が生じる。
【００２５】
また、上記したように前面板を両面テープ等を使用せずに固定するには、前面板の外周を上記したベゼル等の筐体部品により挟み込む構造を採らなければならないこととなる。
【００２６】
その際、前面板を固定するためには、ベゼル等に設けた溝へ嵌合させることが必要となる。
【００２７】
つまり、前面板の外周前面はベゼル等における挟み込む構造により保持しないと落下してしまうこととなる。
【００２８】
その結果、前面板はベゼルよりも正面に対して奥まった位置になり、ベゼルと前面板との間には挟み込む構造によって、必ず段差を生ずることになる。
【００２９】
すなわち、このような挟み込む構造によって、ベゼルと前面板との間には必ず段差を生ずることとなり、デザインや構造の上でこのような段差をなくすことについて自由に選択することができなくなる。
【００３０】
本発明は、上記課題に鑑み、画像表示装置における筐体部品から前面板を容易に分解することができ、筐体部品と前面板との間に段差を設けるか否かについて、デザインや構造の上で自由に選択することが可能となる画像表示装置の提供を目的とするものである。
【課題を解決するための手段】
【００３１】
本発明は、つぎのように構成した画像表示装置を提供するものである。
【００３２】
本発明の画像表示装置は、表示パネルと、
前記表示パネルの前側に配置される前面板と、
前記表示パネルを含む表示ユニットと、
前記前面板の側面を覆うベゼルと、
前記表示ユニットの後側に配置されるカバーと、
を備え、
前記前面板の後側の面上に第１の被締結部が設けられ、
前記表示ユニットの後側の面上に第２の被締結部が設けられ、
前記ベゼルが、締結手段により前記第１の被締結部と前記ベゼルの後側から締結され、かつ、締結手段により前記第２の被締結部と前記ベゼルの後側から締結され、さらに、前記ベゼルが前記カバーと締結手段により前記ベゼルの後側から締結されることで、前記前面板と前記表示ユニットと前記カバーと前記ベゼルとが結合されることを特徴とする。
【発明の効果】
【００３４】
本発明によれば、画像表示装置における筐体部品から前面板を容易に分解することができ、筐体部品と前面板との間に段差を設けるか否かについて、デザインや構造の上で自由に選択することが可能となる画像表示装置を実現することができる。
【図面の簡単な説明】
【００３５】
【図１】本発明の実施例１における画像表示装置の筐体の正面図である。
【図２】本発明の実施例１における画像表示装置の分解斜視図である。
【図３】本発明の実施例１の画像表示装置の上部における断面図である。
【図４】本発明の実施例１の前面板の上部におけるボス貼付け部の詳細断面である。
【図５】本発明の実施例１における前面板の背面図である。
【図６】本発明の実施例２における画像表示装置の分解斜視図である。
【図７】本発明の実施例２の画像表示装置の上部における断面図である。
【図８】本発明の実施例３における画像表示装置の筐体の正面図である。
【図９】本発明の実施例３における画像表示装置の分解斜視図である。
【図１０】本発明の実施例３の画像表示装置の上部における断面図である。
【図１１】本発明の実施例３における前面板上部の斜視図である。
【図１２】従来例である特許文献１における液晶表示装置の断面図である。
【発明を実施するための形態】
【００３６】
本発明を実施するための最良の形態を、以下の実施例により説明する。
【実施例】
【００３７】
以下に本発明の実施例について説明する。
【００３８】
［実施例１］
実施例１として、本発明を適用した画像表示装置（以下、これを映像表示装置と記す。）の構成例について説明する。
【００３９】
図１に、本実施例における映像表示装置の筐体の正面図を示す。
【００４０】
本実施例における映像表示装置は、画像表示パネルと、該画像表示パネルの前面側に対向配置された前面板と、該画像表示パネルの背面側を保持する背面シャーシとを備え、筐体部品によって前記画像表示パネルの外周が覆われている構成を備える。
【００４１】
具体的には、例えば、筐体は、画像表示パネル１が収納できるようになっており、その前面にベゼル２、前面板３が配置されている。
【００４２】
この画像表示パネル１は、電子放出素子、プラズマ放電、液晶、蛍光表示管および有機ＥＬ（Ｅｌｅｃｔｒｏ  Ｌｕｍｉｎｅｓｃｅｎｃｅ）などいずれの薄型画像表示パネルにおいても適用できる。
【００４３】
ベゼル２は樹脂で成型されており平面表示装置（映像表示装置）の表面に位置され、平面表示装置の外観部を構成する。
【００４４】
画像表示パネル１には画像を表示させる画像表示エリア１ａがあり、ベゼル２等の筐体部品の開口部２ａより画像を見ることができる。
【００４５】
つぎに、本実施例における映像表示装置の筐体を構成する部品の配置について説明する。
【００４６】
図２に、本実施例における映像表示装置の分解斜視図を示す。
【００４７】
上記筐体により収容されている画像表示パネル１の背面には、金属のシャーシ（背面シャーシ）５が接着され一体化されており、前記シャーシ５の背面には電気回路基板６が配置されている。
【００４８】
前記シャーシ５の周囲には板金等の取付金具７ａ、７ｂが配置されている。金属のリアカバー４は平面表示装置の背面を覆っている。
【００４９】
つぎに、本実施例における映像表示装置の構造について説明する。
【００５０】
図３に、本実施例の映像表示装置の上部における断面図を示す。
【００５１】
本実施例における映像表示装置は、前記前面板の背面部に前記背面シャーシ方向に延びるネジ締結可能なボス部を備え、該ボス部によって前記筐体部品を含む前記映像表示装置の構成部品を、前記前面板とネジ締結することが可能に構成されている。
【００５２】
具体的には、例えば、ベゼル２の背面に前面板３が配置され、前面板３の上部背面外周部には金属から成るボス（ボス部）８が設けられている。
【００５３】
前記ボス８は接着剤を介して前面板３の背面に固定されており、このボス８の中心にはタップが切られており、ここにネジ止めが可能である。
【００５４】
一方、画像表示パネル１の背面にはシャーシ５が両面テープ（図示せず）により接着されており、画像表示パネル１を背面より保持している。
【００５５】
シャーシ５の周囲にはスタッド５ａがカシメにより接合されており、このスタッド５ａの中心にはタップが切られており、ここにネジ止めが可能となっている。また、ベゼル２の周囲にもボス２ａがベゼル２と一体成型されており、ベゼル２は樹脂で成型されている為、セルフタッピングネジを使用し他の部品等を締結することが可能となっている。
【００５６】
前述したスタッド５ａ、ボス２ａまたボス８へ取付金具（取付部材）７ａおよび７ｂをネジ１０により締結することで、画像表示パネル１、前面板３、およびベゼル２は一体化される。
【００５７】
この時、ベゼル２のボス２ａはリアカバー４を締結するためにも用いられることから、リアカバー４と取付金具７ａおよび７ｂをボス２ａへネジ１０で共締めすることで、リアカバー４は固定される。
【００５８】
リアカバー４は取付金具７ａに接触し接地することで、電気回路基板６から発生する電磁波をシールドしている。
【００５９】
画像表示パネル１上には画像が表示される画像表示エリア１ａがあり、このエリアに埃等が侵入しないように前面板３と画像表示パネル１の間隙に防塵をするため、スポンジから成る弾性体９を画像表示エリア１ａの周囲に表面テープ（図示せず）で貼付ける。
【００６０】
なお、ボス８と弾性体９が接着されている前面板３の外周には黒ベタ印刷（図示せず）が施されており、筐体正面から見ても、ボス８や弾性体９は目視することは出来ないようになっている。
【００６１】
以上のように、ベゼル２、前面板３およびシャーシ５は、ネジ１０により取付金具７ａおよび７ｂに取り付けられ一体化されており、ネジ１０を外すことにより、ベゼル２、シャーシ５および前面板３をそれぞれ容易に分解することができる。
【００６２】
図４は、本実施例における前面板の上部におけるボス貼付け部の詳細断面図である。
【００６３】
ボス８の底面にはベース８ａがカシメにより係止されており、ボス８とベース８ａは一体化されている。このベース８ａは板金で作成された部品である。
【００６４】
ベース８ａはボス８を前面板３へ接着する為の接着面としての役割を持っており、ベース８ａの面積をボス８の底面の面積より大きくすることで、ボス８と前面板３との接着強度を増している。
【００６５】
このベース８ａの裏面には接着剤８ｂが塗布されており、ボス８が前面板３に接着されている。このボス８が前面板３の外周に複数に接着されている。
【００６６】
ここでは、ボス８とベース８ａは別部品として構成しているが、切削等でボス８とベース８ａは一体成型されても良い。
【００６７】
図５は、本実施例における前面板の背面図である。
【００６８】
前面板３の背面周囲には黒ベタ印刷３ａがされている。この黒ベタ印刷３ａは画像表示パネルの画像が表示される画像表示エリアの外側にある画像表示とは関係の無い構造体が表から見えるのを防止する目隠しの役目を持っている。
【００６９】
ボス８は前記黒ベタ印刷３ａの範囲内に接着されることで、前面板３の表から見たときにボス８の接着面が隠れるようになっている。
【００７０】
本実施例の構成によれば、前面板の外周にネジ止め可能な複数のボスを接着し固定することで、前面板をシャーシやベゼルに固定されている取付金具へネジにて固定することができる。
【００７１】
これにより、取付金具等の筐体部品と前面板とを固定するためのネジを外すことにより、前面板をベゼル等の筐体部品から容易に外すことが可能となる。
【００７２】
［実施例２］
実施例２として、分解性を向上させるようにした映像表示装置の構成例について説明する。
【００７３】
図６に、本実施例における映像表示装置の分解斜視図を示す。
【００７４】
画像表示パネル１の前面には前面板３とベゼル２が配置されており、背面には画像表示パネル１は背面保持する為のシャーシ５が両面テープ（図示せず）が接着されている。
【００７５】
シャーシ５の背面には電気回路基板６が配置されている。また、前記電気回路基板６の背面にはシャーシ５背面を覆うようにリアカバー４が配置される。
【００７６】
図７は、本実施例の映像表示装置の上部における断面図である。
【００７７】
実施例１同様に前面板３の背面外周部にボス８が接着されている。
【００７８】
また、ベゼル２の周囲にもボス２ａがベゼル２と一体成型されている。
【００７９】
また、画像表示パネル１の背面に接着されているシャーシ５は、周囲にフランジ部５ａが一体成型されている。
【００８０】
これは、シャーシ５をベゼル２やボス８を介して前面板３を固定するために設けられており、ネジ１０によりベゼル２やボス８を締結している。
【００８１】
前記フランジ部５ａには外周に沿って、ボス２ａおよびボス８に対向する箇所に穴（図示せず）が開けられている。
【００８２】
前記穴を介してボス２ａおよびボス８へネジ１０により締結することにより、前面板３とベゼル２がシャーシ５と一体化されて画像表示パネル１と締結されるようになる。
【００８３】
ここで、リアカバー４はシャーシ５のフランジ部５ａと共締めされ固定される。
【００８４】
本実施例の構成によれば、前面板締結のためには図５のように取付金具を介して固定する他に、画像表示パネルに接着されているシャーシにフランジ部のようにネジ締結できる形状が設けられる。
【００８５】
これにより、ベゼルや前面板を直接締結することができるので、ネジの締結箇所を減らすことができる。
【００８６】
これにより、作業工数を削減することができ、より一層分解性を向上させることが可能となる。
【００８７】
［実施例３］
前面板がベゼル等の筐体部品容易に分解することができ、ベゼルと前面板との間に段差が生じさせることなく、意匠性の向上を図ることが可能となる映像表示装置の構成例について説明する。
【００８８】
図８に、本実施例における映像表示装置の筐体の正面図を示す。
【００８９】
図８において、前面板３の周囲を取り囲むようにベゼル２の端面が配置されている。
【００９０】
また、筐体内には画像表示パネル１が収納されており、画像表示エリア１ａに映し出される画像は前面板３を通して視認することができる。
【００９１】
なお、前面板３裏面の外周には画像表示エリア１ａの外周に対向する面に、黒ベタ印刷（図示せず）がされており、画像表示エリア１ａ以外の内部構造は目隠しされて見えないようになっている。
【００９２】
図９は、本実施例による映像表示装置の分解斜視図である。
【００９３】
図９において、画像表示パネル１の背面にはシャーシ５が両面テープ（図示せず）で接着されており一体化されている。
【００９４】
その背面には電気回路基板６が配置されている。実施例１および２とは逆にベゼル２はシャーシ５の背面に配置されており、リアカバー４もその背面へ締結される。
【００９５】
一方、弾性体９は前面板３と画像表示パネル１との間に位置している。
【００９６】
図１０は本実施例による映像表示装置の構造を説明する表示装置上部における断面図である。
【００９７】
画像表示パネル１は背面に接着されたシャーシ５の外周にスタッド５ａがカシメにより接合されている。
【００９８】
前記スタッド５ａの中心にはネジのタップが切られており、ネジ１０を締結することが出来る。前記スタッド５ａに対向する位置にネジ止めする為の穴が開けられたベゼル２をネジ１０により固定する。
【００９９】
この時、ベゼル２は強度部材としての役目も持つ為、アルミニウムのダイキャストにより作成され、剛性を持っている。
【０１００】
前記ベゼル２には、前面板３に接着されたボス８に対向する位置にネジ１０を止める為の穴が開いており、前面板３はボス８を介してベゼル２に前記ネジ止め穴を通して締結される。
【０１０１】
ベゼル２と前面板３の間には前面板３の外周に沿って弾性体９が狭持されている。
【０１０２】
弾性体９は両面テープ（図示せず）により、前面板３に接着され固定されている。弾性体９を狭持することで、ベゼル２と前面板３の間に出来る隙間から埃等が画像表示エリア１ａに侵入するのを防止している。
【０１０３】
なお、ベゼル２の材質はアルミニウムのダイキャスト以外にも、アルミニウムの押し出し材や樹脂の射出成型の部品を使用しても良く、剛性を持った部材であれば特に限定されるものではない。
【０１０４】
図１１は、本実施例による映像表示装置の前面板上部の分解斜視図である。
【０１０５】
前面板３の背面外周には複数のボス８が接着されている。また、前面板外周には黒ベタ印刷３ａが施されており、このエリア内にボス８が接着されている。
【０１０６】
そのため、前面板３の表から見てもボス８の接着面は目視できないようになっている。弾性体９は前記ボス８に対向する位置に穴９ａが開いており、弾性体９がベゼルに狭持される際は、前記穴９ａにボス８が挿入される。
【０１０７】
上記のように、ボスが接着された前面板が直接ベゼルへネジ止めされることで、ボスをネジ止めしているネジを外すと、前面板はベゼルから容易に分解することが可能になる。
【０１０８】
また、前面板がベゼル等の筐体部品にネジにより固定され保持されているので、従来のように前面板の外周をベゼル周囲に設けた溝に挟み込む必要が無く、前面板の外周前面をベゼルが保持しなくても良い。
【０１０９】
図１０に示すように、前面板の表面とベゼルの端面が同一平面に揃えることが可能であり、この時、ベゼルと前面板との間に生ずる段差を無くすことが出来るという効果がある。
【０１１０】
本実施例の構成によれば、前面板を用いる平面表示装置において、前面板背面の外周部にボスを係合し、前面板が直接、ベゼル、シャーシおよび取付金具等の周囲の筐体部品へ締結することにより、分解性の向上が得られる。
【０１１１】
また、前面板をベゼルで挟み込む必要が無くなり、ベゼルと前面板に生ずる段差を不要とし意匠性の向上を図ることが可能となる。
【０１１２】
以上に説明したように、上記した各実施例の構成によれば、映像表示装置における筐体部品から前面板を容易に分解することが可能となる。
【０１１３】
また、上記した実施例３の構成によれば、ベゼルと前面板との間に段差を生じさせることなく、意匠性の向上を図ることが可能となる。
【０１１４】
このように、本発明によれば、前面板を容易に分解することが可能となる構成を採ることができる一方、ベゼルと前面板との間に段差を設けるか否かについて、デザインや構造の上で自由に選択する構成を採ることが可能となる。
【符号の説明】
【０１１５】
１  画像表示パネル
２  ベゼル
３  前面板
４  リアカバー
５  シャーシ
６  電気回路基板
７  取付金具
８  ボス
９  弾性体
１０  ネジ
２０  液晶パネル
２１  保護カバー
２２  前面板
２３  表示画面
【図１】
0005883067.tif 000002
【図２】
0005883067.tif 000003
【図３】
0005883067.tif 000004
【図４】
0005883067.tif 000005
【図５】
0005883067.tif 000006
【図６】
0005883067.tif 000007
【図７】
0005883067.tif 000008
【図８】
0005883067.tif 000009
【図９】
0005883067.tif 000010
【図１０】
0005883067.tif 000011
【図１１】
0005883067.tif 000012
【図１２】
0005883067.tif 000013